(57)【要約】【課題】冷却不良を生ずることなく冷却対象物を効率よく冷却することができ、しかも冷却対象物側に配置される装置の一部を目立たないように配置することのできる冷却装置を提供する。【解決手段】可撓性の冷却シート１０によって遺体Ａを覆うことにより、冷却シート１０に接触する遺体Ａを熱媒体によって冷却するようにしたので、可撓性の冷却シート１０を遺体Ａに密着させて効率よく冷却することができる。この場合、水やブライン等の熱媒体を冷却ユニット２０の冷凍回路によって冷却し、冷却シート１０の熱媒体流路に流通させるようにしたので、例えば冷凍回路の冷媒を冷却対象物側に直接流通させた場合のように配管接続部からガス冷媒が漏れて冷却不良を生ずることがない。また、冷却シート１０を毛布のように遺体Ａに被せることができるので、冷却シート１０を目立たせることなく遺体Ａを冷却することができる。【選択図】図４
2007051855.tif 000002
【特許請求の範囲】
【請求項１】
冷却対象物を冷却するための熱媒体を流通する熱媒体流路を有し、冷却対象物に接触させて使用する少なくとも一つの可撓性の冷却シートと、
冷却シートの熱媒体流路に流通させる熱媒体を冷却可能な熱媒体冷却手段を有する冷却ユニットとを備えた
ことを特徴とする冷却装置。
【請求項２】
前記冷却シートの熱媒体流路と冷却ユニットとを可撓性の熱媒体流通管を介して接続した
ことを特徴とする請求項１記載の冷却装置。
【請求項３】
前記冷却シートの所定部分の熱媒体流路を他の部分の熱媒体流路よりも熱媒体の流量が多くなるように形成した
ことを特徴とする請求項１または２記載の冷却装置。
【請求項４】
前記冷却シートの所定部分の熱媒体流路のみに熱媒体を流通可能な流通規制手段を備えた
ことを特徴とする請求項１、２または３記載の冷却装置。
【請求項５】
前記熱媒体冷却手段を、圧縮機、蒸発器、凝縮器及び膨張手段からなる冷凍回路と、冷凍回路の低温冷媒と熱媒体とを熱交換する熱交換器とから構成した
ことを特徴とする請求項１、２、３または４記載の冷却装置。
【請求項６】
前記熱交換器として二重管式熱交換器を用いた
ことを特徴とする請求項５記載の冷却装置。
【請求項７】
前記膨張手段としてのキャピラリーチューブと圧縮機の冷媒吸入側管路とを熱交換する内部熱交換器を備え、
前記熱交換器を螺旋状に形成するとともに、内部熱交換器を熱交換器よりも小さい径の螺旋状に形成して熱交換器の内側に配置した
ことを特徴とする請求項６記載の冷却装置。
【請求項８】
前記冷却シートと冷却ユニットとを循環する熱媒体の回路中に熱媒体を貯溜可能な熱媒体タンクを設けた
ことを特徴とする請求項１、２、３、４、５、６または７記載の冷却装置。
【請求項９】
前記熱媒体を冷却シートと冷却ユニットに熱媒体タンクを介して循環する流路と、
冷却シート側の熱媒体を熱媒体タンク内に回収する流路と、
各流路を相互に切換可能な流路切換手段とを備えた
ことを特徴とする請求項８記載の冷却装置。
【請求項１０】
前記熱媒体の温度を検出する温度検出手段と、
温度検出手段の検出温度が所定温度以上になると作動する警報手段とを備えた
ことを特徴とする請求項１、２、３、４、５、６、７、８または９記載の冷却装置。
【発明の詳細な説明】
【技術分野】
【０００１】  本発明は、例えば布団、担架、ベッド、棺桶等に安置された遺体の腐敗進行防止、或いは人体の全身または局部的な冷却に用いられる冷却装置に関するものである。
【背景技術】
【０００２】  一般に、人が死亡した場合、自宅や葬儀場に安置された遺体、或いは死亡した場所から自宅や葬儀場まで搬送される遺体の腐敗を防止するため、ドライアイスを使用して遺体を冷却している。また、特に脳血管障害により死亡した場合は、死後、口や鼻から血がにじみ出てくるため、首の後側もドライアイスで冷却して血止めをする必要がある。しかしながら、ドライアイスは極めて低温で取扱いが容易ではなく、気化すると炭酸ガスになるため、地球温暖化の問題からも固形二酸化炭素であるドライアイスの使用は好ましくない。【０００３】  そこで、遺体用の冷却装置として、遺体の上方を覆うドーム状のカバーフレームと、カバーフレームの下面に遺体と間隔を有するように取付けられた冷却器と、冷却器にフレキシブルホースを介して接続された外部冷凍機とを備え、冷却器に低温冷媒を流通することにより、ドライアイスを用いることなく遺体を冷却するようにしたものが知られている（例えば、特許文献１参照。）。
【特許文献１】特開２００４−２０１７７０号公報
【発明の開示】
【発明が解決しようとする課題】
【０００４】  しかしながら、前記冷却装置では、カバーフレームと遺体との間に外部空気が侵入するため、冷却器から遺体に冷気を送風する構造では、遺体を効率よく冷却することができなかった。また、前記冷却装置では、冷凍回路の冷却器と外部冷凍機とをフレキシブルホースを介して接続し、冷凍回路の冷媒を遺体側に直接流通させるようにしているため、ホースの接続部分からガス冷媒が漏れて冷却不良を生じ易いという問題点もあった。更に、前記冷却装置は、冷却器の取付けられた大型のカバーフレームを遺体の上方に配置する構造であるため、遺体を覆う冷却装置の一部が著しく目立ち、このような装置を遺体に被せることへの遺族の心情的な抵抗感も生じていた。【０００５】  本発明は前記事情に鑑みてなされたもので、その目的とするところは、冷却不良を生ずることなく冷却対象物を効率よく冷却することができ、しかも冷却対象物側に配置される装置の一部を目立たないように配置することのできる冷却装置を提供することにある。
【課題を解決するための手段】
【０００６】  本発明の冷却装置は、前記目的を達成するために、冷却対象物を冷却するための熱媒体を流通する熱媒体流路を有し、冷却対象物に接触させて使用する可撓性の冷却シートと、冷却シートの熱媒体流路に流通させる熱媒体を冷却可能な熱媒体冷却手段を有する冷却ユニットとを備えている。【０００７】  これにより、可撓性の冷却シートによって冷却対象物を覆うことにより、冷却シートに接触する冷却対象物が熱媒体によって冷却されることから、冷却シートを冷却対象物に密着させて効率よく冷却することができる。この場合、水やブライン等の熱媒体が冷却ユニットの熱媒体冷却手段によって冷却され、冷却シートの熱媒体流路に流通することから、例えば冷凍回路の冷媒を冷却対象物側に直接流通させた場合のように配管接続部からガス冷媒が漏れて冷却不良を生ずることがない。また、冷却シートを毛布のように冷却対象物に被せることができるので、例えば葬儀場や自宅に安置された遺体を冷却する場合には、冷却シートを目立たせることなく遺体を冷却することができる。
【発明の効果】
【０００８】  本発明の冷却装置によれば、可撓性の冷却シートを冷却対象物に密着させて効率よく冷却することができるので、例えば葬儀場や自宅に安置された遺体を冷却する場合には、遺体の腐敗の進行を効果的に防止することができる。この場合、例えば冷凍回路の冷媒を冷却対象物側に直接流通させた場合のように配管接続部からガス冷媒が漏れて冷却不良を生ずることがないので、冷却対象物を確実に冷却することができる。また、冷却シートを毛布のように冷却対象物に被せることができるので、遺体の冷却に使用する場合には、冷却シートを目立たせることなく遺体を冷却することができ、冷却装置の一部を遺体に被せることへの遺族の心情的な抵抗感を緩和することができる。
【発明を実施するための最良の形態】
【０００９】  以下、図１乃至図５を参照し、本発明の第１の実施形態について説明する。図１は冷却装置の全体斜視図、図２は冷却シートの要部側面断面図、図３は冷却装置の全体構成図、図４及び図５は冷却装置の使用状態を示す斜視図である。【００１０】  この冷却装置は、冷却対象物としての遺体Ａに接触させる可撓性の冷却シート１０と、冷却シート１０の外部に配置される冷却ユニット２０と、冷却シート１０と冷却ユニット２０とを接続する可撓性の熱媒体流通管３０とから構成されている。【００１１】  冷却シート１０は、互いに重ね合わせて接合される一対のシート状部材１１からなり、各シート状部材１１間には熱媒体流路１２が形成されている。各シート状部材１１は、例えば塩化ビニール等の可撓性材料からなり、熱媒体流路１２を除く部分を熱溶着により接合されている。熱媒体流路１２は、冷却シート１０のほぼ全体に亘って延びるように蛇行状に形成され、その両端は冷却シート１０の一端に配置されている。熱媒体流路１２には、水、ブライン等の熱媒体が流通するようになっており、冷却温度を氷点以下にする場合はブラインを用いるのが好ましい。また、冷却シート１０は、袋状の紙や布からなる使い捨てのカバー１３によって覆われており、カバー１３の幅方向中央には冷却シート１０を出し入れするための開口部１３ａが設けられている。この場合、カバー１３の一方の面側には吸水シート（図示せず）が設けられ、冷却シート１０の表面に付着した結露水が吸水シートによって吸収されるようになっている。【００１２】  冷却ユニット２０は、圧縮機２１、蒸発器２２、凝縮器２３及び膨張手段としてのキャピラリーチューブ２４からなる冷凍回路と、冷凍回路の低温冷媒と熱媒体とを熱交換する熱交換器２５と、熱媒体を循環するポンプ２６とを備え、冷凍回路及び熱交換器２５によって熱媒体冷却手段を構成している。熱交換器２５は、周知の二重管式熱交換器からなり、その内管は冷凍回路の低温冷媒を流通する蒸発器２２を形成している。熱交換器２５には熱媒体流通管３０が接続され、熱交換器２５の内管と外管との間にはポンプ２６によって循環する熱媒体が流通するようになっている。即ち、この冷凍回路では、圧縮機２１から吐出した冷媒が凝縮器２３で凝縮した後、キャピラリーチューブ２４を介して熱交換器２５内の蒸発器２２に流入し、熱交換器２５内で熱媒体と熱交換されて蒸発した後、圧縮機２１に吸入されるようになっている。【００１３】  熱媒体流通管３０は周知のフレキシブルホースからなり、往路用管路３１と復路用管路３２とからなる。熱媒体流通管３０の一端は冷却シート１０の熱媒体流路１２に接続されており、その他端は冷却ユニット２０の熱交換器２５に接続されている。【００１４】  以上のように構成された冷却装置により、例えば自宅に安置された遺体Ａを冷却する場合は、図４に示すように敷布団Ｂの上の遺体Ａに冷却シート１０を毛布のように被せるとともに、図５に示すように冷却シート１０の上に掛布団Ｃを掛ける。次に、冷却ユニット２０のポンプ２６によって熱媒体流路１２の熱媒体を循環すると、冷却シート１０の熱媒体流路１２を流通した熱媒体が熱媒体流通管３０の復路用の管路３２を通って冷却ユニット２０の熱交換器２５に流入し、熱交換器２５内で冷却された後、熱媒体流通管３０の往路用の管路３１を通って冷却シート１０の熱媒体流路１２に流入する。これにより、冷却シート１０の熱媒体流路１２に低温の熱媒体が流通し、冷却シート１０に接触する遺体Ａが熱媒体によって冷却される。【００１５】  このように、本実施形態の冷却装置によれば、可撓性の冷却シート１０によって遺体Ａを覆うことにより、冷却シート１０に接触する遺体Ａを熱媒体によって冷却するようにしたので、可撓性の冷却シート１０を遺体Ａに密着させて効率よく冷却することができ、遺体Ａの腐敗の進行を効果的に防止することができる。この場合、水やブライン等の熱媒体を冷却ユニット２０の冷凍回路によって冷却し、冷却シート１０の熱媒体流路１２に流通させるようにしたので、例えば冷凍回路の冷媒を冷却対象物側に直接流通させた場合のように配管接続部からガス冷媒が漏れて冷却不良を生ずることがなく、遺体Ａを確実に冷却することができる。また、冷却シート１０を毛布のように遺体Ａに被せることができるので、冷却シート１０を目立たせることなく遺体Ａを冷却することができ、冷却装置の一部を遺体Ａに被せることへの遺族の心情的な抵抗感を緩和することができる。【００１６】  また、冷却ユニット２０と冷却シート１０の熱媒体流路１２とを可撓性の熱媒体流通管３０によって接続するようにしたので、冷却ユニット２０を冷却シート１０から離れた任意の場所に配置することができる。従って、冷却ユニット２０を人目に付かない場所に配置することにより、遺族の心情的な抵抗感をより緩和することができる。【００１７】  更に、熱媒体を冷却する熱交換器２５として二重管式熱交換器を用いたので、例えばタンク内に貯溜した熱媒体を冷却器で冷却する構造に比べ、熱交換器２５の小型化及び軽量化を図ることができる。この場合、熱交換器２５を螺旋状に形成すれば、熱交換器２５の全体を大型化させずに熱交換器２５の熱交換部を長くすることができ、熱媒体を効率よく冷却することができる。【００１８】  尚、前記実施形態では、冷却シート１０を遺体Ａに被せて使用するようにした場合を示したが、遺体Ａの下に敷いたり、或いは遺体Ａに巻き付けて使用することも可能である。また、遺体Ａを布団に安置する場合に限らず、担架、ベッド、棺桶等に安置された遺体の冷却にも用いることができる。【００１９】  更に、前記実施形態では、遺体Ａの冷却に用いる場合を示したが、例えば火傷や発熱時における人体の全身または局部的な冷却に用いることもでき、更には遺体や人体以外の任意の物品の冷却にも使用するころができる。【００２０】  図６は本発明の第２の実施形態を示す冷却装置の全体構成図で、前記実施形態と同等の構成部分には同一の符号を付して示す。本実施形態の冷却装置では、冷却シート１０の二つの領域１０ａ，１０ｂごとにそれぞれ熱媒体流路１２を設けるとともに、一方の領域１０ａの熱媒体流路１２の管径を他方の領域１０ｂの熱媒体流路１２よりも大きく形成している。【００２１】  本実施形態によれば、熱媒体流通管３０から冷却シート１０に流入した熱媒体は、一方の領域１０ａの熱媒体流路１２を流通した後、他方の領域１０ｂの熱媒体流路１２を���通し、熱媒体流通管３０に流入する。その際、一方の領域１０ａの熱媒体流路１２を流通する熱媒体の流量が他方の領域１０ｂの熱媒体流路１２よりも多くなることから、冷却シート１０の一方の領域１０ａが他方の領域１０ｂよりも冷却能力が高くなる。従って、遺体Ａにおける腐敗の進行の速い部位に冷却シート１０の一方の領域１０ａを接触させることにより、遺体Ａの腐敗進行を効果的に防止することができる。【００２２】  図７及び図８は本発明の第３の実施形態を示す冷却装置の全体構成図で、前記実施形態と同等の構成部分には同一の符号を付して示す。本実施形態の冷却装置では、一方の領域１０ａの熱媒体流路１２と他方の領域１０ｂの熱媒体流路１２との間に、一方の領域１０ａの熱媒体流路１２のみに熱媒体を流通可能なバイパス流路１２ａと、一方の領域１０ａの熱媒体流路１２または両方の領域１０ａ，１０ｂの熱媒体流路１２に熱媒体が流通するように流路を切換える三方弁１２ｂとを設けている。即ち、バイパス流路１２ａ及び三方弁１２ｂは流通規制手段を構成している。【００２３】  本実施形態によれば、例えば遺体Ａの一部を他の部分よりも優先的に冷却したい場合には、図７に示すように一方の領域１０ａの熱媒体流路１２のみに熱媒体を流通させ、他の部分も含めて冷却したい場合は、図８に示すように各領域１０ａ，１０ｂの熱媒体流路１２に熱媒体を流通させることができる。この場合、各領域１０ａ，１０ｂの熱媒体流路１２の管径は等しくてもよく、第２の実施形態のように一方の領域１０ａの熱媒体流路１２の管径を他方の領域１０ｂの熱媒体流路１２よりも大きく形成するようにしてもよい。【００２４】  図９及び図１０は本発明の第４の実施形態を示すもので、図９は冷却装置の全体斜視図、図１０はその全体構成図である。尚、前記実施形態と同等の構成部分には同一の符号を付して示す。本実施形態の冷却装置は、複数の冷却シート、即ち第１、第２及び第３の冷却シート４０，５０，６０を備え、冷却ユニット２０で冷却した熱媒体を各冷却シート４０，５０，６０に流通させるようになっている。第１の冷却シート４０は遺体Ａの胸部及び肩部を冷却するように形成され、その一端側には遺体Ａの両肩に配置される肩掛部４０ａが設けられている。また、第２の冷却シート５０は遺体Ａの腹部を冷却するように形成され、第３の冷却シート６０は遺体Ａの背部を冷却するように形成されている。即ち、第１及び第２の冷却シート４０，５０は遺体Ａの上方に配置され、第３の冷却シート６０は遺体Ａの下方に配置される。各冷却シート４０，５０，６０にはそれぞれ前記実施形態と同様の熱媒体流路４１，５１，６１が設けられ、各熱媒体流路４１，５１，６１は冷却ユニット２０の熱交換器２５に直列に接続されている。【００２５】  本実施形態によれば、各冷却シート４０，５０，６０によって遺体Ａの胸部、肩部、腹部及び背部をそれぞれ集中的に冷却することができるので、腐敗し易い部分を優先的に冷却することができる。例えば、脳血管障害により死亡した場合は、死後、口や鼻から血がにじみ出てくるため、第１の冷却シート４０によって首の周囲を冷却することにより、血止めを効果的に行うことができる。また、腐敗の進行の速い内臓は��死後、背中側に落ち込むため、第３の冷却シート４０によって背中を冷却することにより、内臓の腐敗進行を効果的に防止することができる。【００２６】  図１１及び図１２は本発明の第５の実施形態を示す冷却装置の要部構成図で、前記実施形態と同等の構成部分には同一の符号を付して示す。尚、冷却シートと冷却ユニットの全体の図示は省略してある。本実施形態の冷却装置は、冷却シートと冷却ユニットとを循環する熱媒体の回路中に、熱媒体を貯溜可能な密閉型の熱媒体タンク７０を設けたものである。熱媒体タンク７０内には熱媒体流通管３０の復路用管路３２が開放されており、復路用管路３２の上流側から熱媒体が流入し、復路用管路３２の下流側に熱媒体が流出するようになっている。熱媒体タンク７０の流入側流路からは第１の三方弁７１を介して第１のバイパス流路７２が分岐しており、第１のバイパス流路７２はポンプ２６の下流側に第２の三方弁７３を介して接続されている。熱媒体タンク７０の流出側流路（ポンプ２６の上流側）からは第３の三方弁７４を介して第２のバイパス流路７５が分岐しており、第２のバイパス流路７５はポンプ２６の下流側における第２の三方弁７３の下流側に接続されている。即ち、各三方弁７１，７３，７４及び各バイパス流路７２，７５は流路切換手段を構成している。また、熱媒体タンク７０には一端を大気に開放する空気流路７６が設けられており、空気流路７６は電磁弁７７によって開閉するようになっている。更に、熱媒体タンク７０内には周知のフロートスイッチ７８が設けられており、熱媒体タンク７０内の液面が所定位置まで下降すると、フロートスイッチ７８によって空気流路７６の電磁弁７７が閉じるようになっている。この場合、フロートスイッチ７８の液面検知位置は任意の高さ位置に設定可能になっている。【００２７】  以上の構成において、遺体Ａの冷却に使用する場合は、図１１に示すように、空気流路７６の電磁弁７７を開放し、第２の三方弁７３によって熱媒体タンク７０内をポンプ２６の上流側に連通するとともに、第３の三方弁７４によってポンプ２６の下流側を熱交換器２５側に連通し、第１の三方弁７１によって復路用管路３２を熱媒体タンク７０に連通することにより、熱媒体タンク７０内の熱媒体をポンプ２６によって吸引し、ポンプ２６から吐出される熱媒体を熱交換器２５に流通させる。その際、熱媒体タンク７０内の熱媒体の液面位置がフロートスイッチ７８の液面検知位置まで降下すると、空気流路７６の電磁弁７７が閉じて熱媒体タンク７０内が密閉され、熱媒体タンク７０の上流側の復路用管路３２の熱媒体が熱媒体タンク７０に流入する。これにより、冷却シートと冷却ユニットとの間を熱媒体が熱媒体タンク７０を介して循環する。【００２８】  また、使用後、冷却シートに熱媒体を回収する場合には、図１２に示すように、空気流路７６の電磁弁７７を強制的に開放し、第２の三方弁７３によってポンプ２６の上流側を第２のバイパス流路７５を介して第３の三方弁７４の下流側に連通することにより、往路用管路３１の熱媒体を逆流させ、冷却シート側の熱媒体を第２のバイパス流路７５を介してポンプ２６によって吸引する。次に、第３の三方弁７４によってポンプ２６の下流側を第１の��イパス流路７２を介して熱媒体タンク７０の上流側に連通するとともに、第１の三方弁７１によって第１のバイパス流路７２を熱媒体タンク７０に連通することにより、ポンプ２６から吐出される熱媒体を熱媒体タンク７０内に流入させる。これにより、第１の三方弁７１の上流側の復路用管路３２が閉じた状態で往路用管路３１から冷却シート側の熱媒体が熱媒体タンク７０内に回収される。【００２９】  本実施形態によれば、冷却シート側の熱媒体を回収可能な熱媒体タンク７０を備えているので、使用後に冷却シート内から熱媒体を除去することにより、未使用時に冷却シートを小さく折り畳んで収納することができる。【００３０】  また、密閉型の熱媒体タンク７０に空気流路７６を設け、熱媒体タンク７０内の熱媒体の液面が所定位置になるように電磁弁７７によって空気流路７６を開閉するようにしたので、冷却シート側の熱媒体を常に適正な量にすることができる。この場合、液面が所定位置まで降下すると、フロートスイッチ７８によって電磁弁７７を閉鎖するようにしたので、熱媒体タンク７０から冷却シート側に送り出される熱媒体の量を自動で適正量にすることができる。また、フロートスイッチ７８の液面検知位置を任意の高さ位置に設定可能にしたので、液面検知位置を変更することにより、冷却シート側の熱媒体の量を適宜増減することができる。【００３１】  尚、前記実施形態では複数の三方弁７１，７３，７４を用いて流路を切換えるようにしたものを示したが、これらの三方弁７１，７３，７４に代え、複数の電磁弁や四方弁を用いても同様に流路を切換えることが可能である。【００３２】  図１３は本発明の第６の実施形態を示すもので、前記冷却ユニット２０の圧縮機２１の冷媒吸入側管路（いわゆるサクションパイプ）とキャピラリーチューブ２４とを熱交換させる内部熱交換器２７を備えたものである。この場合、二重管式熱交換器からなる熱交換器２５を螺旋状に形成するとともに、その内側に熱交換器２５よりも小さい径で螺旋状に形成した内部熱交換器２７を配置し、熱交換器２５及び内部熱交換器２７を発泡ウレタンからなる断熱材２８と一体に形成している。これにより、熱交換器２５及び内部熱交換器２７を冷却ユニット２０内に効率よく収容することができ、冷却ユニット２０の小型化を図ることができる。【００３３】  図１４は本発明の第７の実施形態を示すもので、熱媒体の温度が所定温度以上になると作動する警報装置８０を備えたものである。この場合、冷却ユニット２０には温度センサ８１が接続され、温度センサ８１によって熱媒体の温度が検出されるようになっている。これにより、例えば電源コンセントが意図せず外れた場合など、熱媒体の温度上昇を速やかに知らせることができる。
【図面の簡単な説明】
【００３４】
【図１】本発明の第１の実施形態を示す冷却装置の全体斜視図
【図２】冷却シートの要部側面断面図
【図３】冷却装置の全体構成図
【図４】冷却装置の使用状態を示す斜視図
【図５】冷却装置の使用状態を示す斜視図
【図６】本発明の第２の実施形態を示す冷却装置の全体構成図
【図７】本発明の第３の実施形態を示す冷却装置の全体構成図
【図８】本発明の第３の実施形態を示す冷却装置の全体構成図
【図９】本発明の第４の実施形態を示す冷却装置の全体斜視図
【図１０】本発明の第４の実施形態を示す冷却装置の全体構成図
【図１１】本発明の第５の実施形態を示す冷却装置の要部構成図
【図１２】本発明の第５の実施形態を示す冷却装置の要部構成図
【図１３】本発明の第６の実施形態を示す内部熱交換器を示す側面断面図
【図１４】本発明の第７の実施形態を示す冷却装置の要部構成図
【符号の説明】
【００３５】  １０…冷却シート、１２…熱媒体流路、２０…冷却ユニット、２１…圧縮機、２２…蒸発器、２３…凝縮器、２４…キャピラリーチューブ、２５…熱交換器、２７…内部熱交換器、３０…熱媒体流通管、４０…第１の冷却シート、４１…熱媒体流路、５０…第２の冷却シート、５１…熱媒体流路、６０…第３の冷却シート、６１…熱媒体流路、７０…熱媒体タンク、８０…警報装置、Ａ…遺体。
【図１】
2007051855.tif 000003
【図２】
2007051855.tif 000004
【図３】
2007051855.tif 000005
【図４】
2007051855.tif 000006
【図５】
2007051855.tif 000007
【図６】
2007051855.tif 000008
【図７】
2007051855.tif 000009
【図８】
2007051855.tif 000010
【図９】
2007051855.tif 000011
【図１０】
2007051855.tif 000012
【図１１】
2007051855.tif 000013
【図１２】
2007051855.tif 000014
【図１３】
2007051855.tif 000015
【図１４】
2007051855.tif 000016